(57)【要約】【課題】湯切れの原因が漏水である場合とそうでない場合とを区別して、漏水を検出する。【解決手段】本発明に係る貯湯式給湯装置は、加熱手段と、貯湯タンクと、貯湯タンク内の湯水を給湯負荷に供給する給湯配管と、貯湯タンク内の貯湯量を検出する貯湯量検出手段と、給湯配管内を流れる湯水の流量を検出する流量検出手段と、報知手段と、目標貯湯量の湯水を貯湯タンクに貯えるように貯湯運転を行う制御装置と、を備える。制御装置は、更に、貯湯量に基づいて給湯負荷に湯水を供給できなくなる湯切れが検知された後、水漏れ条件が成立した場合に、報知手段により、給湯配管からの水漏れを報知する。ここで、水漏れ条件は、湯切れが検知された後、給湯配管内の湯水の流通が基準時間継続して検出され、かつ、貯湯運転の完了後の貯湯タンク内の貯湯量が、目標貯湯量よりも基準量少ないことが基準回数検出されたことである。【選択図】図２
2020176755.tif 000002
【特許請求の範囲】
【請求項１】
加熱手段と、
前記加熱手段で加熱した湯水を貯留する貯湯タンクと、
前記貯湯タンクと給湯負荷との間を接続し、前記貯湯タンク内の湯水を前記給湯負荷に供給するための給湯配管と、
前記貯湯タンク内の貯湯量を検出する貯湯量検出手段と、
前記給湯配管内を流れる湯水の流量を検出する流量検出手段と、
前記給湯配管からの水漏れを報知する報知手段と、
前記加熱手段を制御して、前記貯湯タンクに貯えることが要求される目標貯湯量の湯水を前記貯湯タンクに貯えるように貯湯運転を行う制御装置と、
を備え、
前記制御装置は、更に
前記貯湯量検出手段により検出された貯湯量に基づいて、前記給湯負荷に湯水を供給できなくなる湯切れとなることを検知して、
前記湯切れが検知された後、水漏れ条件が成立した場合に、前記報知手段により前記給湯配管からの水漏れを報知する、
ように構成され、
前記水漏れ条件は、前記湯切れが検知された後、前記給湯配管内の湯水の流通が基準時間継続して検出され、かつ、前記貯湯運転が完了した後の前記貯湯タンク内の貯湯量が、前記目標貯湯量よりも基準量少ないことが基準回数検出されたことである、
ことを特徴とする貯湯式給湯装置。
【請求項２】
前記制御装置は、
前記水漏れ条件が成立した履歴を記録する履歴データ記録部と、
前記履歴データ記録部の水漏れ成立の記録を消去する消去手段と、
を備え、
前記履歴データ記録部に前記水漏れ条件が成立した履歴がある場合、前記湯切れが検知される前であっても、水漏れの可能性があることを使用者に報知するように構成されていることを特徴とする請求項１に記載の貯湯式給湯装置。
【請求項３】
前記消去手段は、前記貯湯式給湯装置の電源が切られた後、再び入れられた場合に、前記履歴データ記録部の履歴を消去することを特徴とする請求項２に記載の貯湯式給湯装置。
【請求項４】
前記制御装置は、前記水漏れが報知されている間、一日に使用する湯量及び一日に必要となる湯量のうち少なくとも一方の学習を停止することを特徴とする請求項１から３の何れか１項に記載の貯湯式給湯装置。
【請求項５】
前記貯湯式給湯装置は、浴槽に接続され、
前記制御装置は、前記水漏れ条件が成立している間、前記浴槽への湯張り、前記浴槽内の湯水の追い焚き又は保温、及び、前記浴槽への高温差し湯の動作のうち、少なくとも１つの動作を停止することを特徴とする請求項１から４の何れか１項に記載の貯湯式給湯装置。
【請求項６】
前記報知手段は、水漏れの報知を禁止する禁止時間帯を設定できるように構成されていることを特徴とする請求項１から５の何れか１項に記載の貯湯式給湯装置。
【請求項７】
前記制御装置は、前記報知手段による前記水漏れの報知を、前記給湯負荷の使用中と判定された場合に限り行うことを特徴とする請求項１から６のいずれか１項に記載の貯湯式給湯装置。
【請求項８】
水源に接続され、前記貯湯タンクに水を供給するための流路と、
前記流路を開閉する開閉弁と、
を更に備え、
前記制御装置は、前記水漏れ条件が成立した場合に、前記開閉弁を閉じるように構成されていることを特徴とする請求項１から７のいずれか１項に記載の貯湯式給湯装置。
【発明の詳細な説明】
【技術分野】
【０００１】
本発明は、貯湯式給湯装置に関する。
【背景技術】
【０００２】
例えば、下記の特許文献１に記載された貯湯式給湯機では、貯湯タンクから供給される湯と、外部から供給される水とが混合弁において混合され、適温になった湯が配管を通って蛇口に供給される。この配管には給湯流量センサが設けられており、給湯流量センサにより蛇口への給湯流量が検知される。この貯湯式給湯機では、混合弁から水のみが流出するように制御される「水設定」がされていない状況下で、給湯流量センサにより検出された給湯流量が所定の範囲内である状態が所定時間以上継続した場合に、蛇口の閉め忘れ等による漏れがあると判定され、使用者に漏れが報知される。
【先行技術文献】
【特許文献】
【０００３】
【特許文献１】特開２０１４−７０８０７号公報
【発明の概要】
【発明が解決しようとする課題】
【０００４】
特許文献１のように、給湯流量の検出値に基づく漏れの判定方法では、貯湯タンクの湯切れが検出された場合にも、その湯切れの原因が、使用者の湯の使い過ぎであるのか、単なる蛇口の閉め忘れ等による漏れであるのか、配管からの漏水があるのかを区別することは困難である。このため、単なる使用者の湯の使い過ぎ等の場合にも、漏水と誤報される事態が生じうる。
【０００５】
本発明は、上述のような課題を解決するためになされたもので、湯切れ判定がなされた場合に、湯切れの原因が漏水である場合と、そうでない場合とを区別して、高い精度で漏水を検出することができるように改良された貯湯式給湯装置を提供することを目的とする。
【課題を解決するための手段】
【０００６】
本発明に係る貯湯式給湯装置は、加熱手段と、貯湯タンクと、給湯配管と、貯湯量検出手段と、流量検出手段と、報知手段と、制御装置と、を備える。貯湯タンクは、加熱手段で加熱した湯水を貯留する。給湯配管は、貯湯タンクと給湯負荷との間を接続し、貯湯タンク内の湯水を給湯負荷に供給する。貯湯量検出手段は、貯湯タンク内の貯湯量を検出する。流量検出手段は、給湯配管内を流れる湯水の流量を検出する。報知手段は、給湯配管からの水漏れを報知する。制御装置は、加熱手段を制御して、貯湯タンクに貯えることが要求される目標貯湯量の湯水を貯湯タンクに貯えるように貯湯運転を行う。制御装置は、更に、貯湯量検出手段により検出された貯湯量に基づいて、給湯負荷に湯水を供給できなくなる湯切れとなることを検知して、湯切れが検知された後、水漏れ条件が成立した場合に、報知手段により給湯配管からの水漏れを報知する。ここで、水漏れ条件は、湯切れが検知された後、給湯配管内の湯水の流通が基準時間継続して検出され、かつ、貯湯運転終了後の貯湯タンク内の貯湯量が、目標貯湯量よりも基準量少ないことが基準回数検出されたことである。
【発明の効果】
【０００７】
本発明によれば、湯切れの判定が成された後に、貯湯運転を行った後の貯湯量と、給湯配管の湯水の流量とに基づいて漏水の有無が判定される。これにより、使用者による湯水の使用と区別して、漏水の有無を高い精度で検知することができる。
【図面の簡単な説明】
【０００８】
【図１】本発明の実施の形態に係る貯湯式給湯装置の構成図である。
【図２】本発明の実施の形態に係る制御装置が実行する水漏れ判定の制御ルーチンをフローチャートに示した図である。
【図３】本発明の実施の形態に係る制御装置が実行する水漏れ条件の成立の判定のための制御ルーチンをフローチャートに示した図である。
【図４】本発明の実施の形態に係る制御装置が実行する水漏れ条件の成立の判定のための制御ルーチンをフローチャートに示した図である。
【図５】本発明の実施の形態に係るリモコン装置の構成図である。
【発明を実施するための形態】
【０００９】
以下、図面を参照して実施の形態について説明する。各図において共通または対応する要素には、同一の符号を付して、重複する説明を簡略化または省略する。なお、本実施の形態では、湯が持っている熱量を、所定の温度の湯に換算した湯量として扱う場合がある。即ち、以下の説明において、湯量との表記は、実質的に熱量を意味する場合がある。
【００１０】
実施の形態１．
図１は、実施の形態１による貯湯式給湯装置を示す構成図である。図１に示すように、貯湯式給湯装置３５は、タンクユニット３３、ＨＰ（ヒートポンプ）ユニット７、及び、リモコン装置４４を備える。ＨＰユニット７とタンクユニット３３との間は、ＨＰ往き配管１４とＨＰ戻り配管１５と図示しない電気配線とを介して接続されている。タンクユニット３３には、制御装置３６が内蔵されている。タンクユニット３３及びＨＰユニット７が備える各種弁類、ポンプ類等の作動は、これらと電気的に接続された制御装置３６により制御される。
【００１１】
リモコン装置４４は、運転動作指令及び設定値の変更などに関する使用者の操作を受け付ける機能を有する。リモコン装置４４は、ユーザーインターフェースの例である。制御装置３６とリモコン装置４４の間は、有線または無線により、双方向にデータ通信可能に接続されている。リモコン装置４４には、貯湯式給湯装置３５の状態等の情報を表示する表示部４４ａが搭載されている。また、図示を省略するが、リモコン装置４４には、使用者が操作するスイッチ等の操作部（図示しない）、スピーカ、マイク等も搭載されている。リモコン装置４４の表示部４４ａは、使用者に情報を報知する報知手段として機能する。また、報知手段を、例えば、スピーカ等として、音声案内による報知を行う構成としてもよい。また、表示部４４ａ及びスピーカ等の複数の報知手段を組み合わせて報知を行う構成であってもよい。
【００１２】
本実施の形態において、リモコン装置４４は、例えば台所、リビング、浴室などの壁に設置されたものでもよい。複数のリモコン装置４４が制御装置３６に対して通信可能でもよい。また、例えばスマートフォンのような携帯端末がリモコン装置４４のようなユーザーインターフェースとしての機能を有するように構成してもよい。当該携帯端末と制御装置３６とが、ネットワークを介して通信してもよい。
【００１３】
ＨＰユニット７は、水を加熱する熱源機に相当する。ＨＰユニット７は、圧縮機１、水冷媒熱交換器３、膨張弁４、空気熱交換器６を冷媒配管５にて環状に接続した冷媒回路を備える。ＨＰユニット７は、この冷媒回路によりヒートポンプサイクルの運転を行う。水冷媒熱交換器３では、圧縮機１で圧縮された冷媒と、タンクユニット３３から導かれた水との間で熱を交換することで、水が加熱される。
【００１４】
タンクユニット３３には、以下の各種部品及び配管などが内蔵されている。貯湯タンク８は、湯水を貯留する。貯湯タンク８の内部では、温度による水の密度の差によって、上側が高温で下側が低温になる温度成層を形成することができる。貯湯タンク８の下部に設けられた水導入口８ａには、第３給水配管９ｃが接続されている。水道等の水源から供給される水は、減圧弁３１で所定圧力に調圧された上で、第３給水配管９ｃを通って貯湯タンク８内に流入する。貯湯タンク８の上部に設けられた温水導入出口８ｄに接続された配管は、分岐部４１にて、送湯配管１３と給湯配管２１とに分かれる。給湯配管２１は、貯湯タンク８内に貯留された湯を貯湯式給湯装置３５の外部へ供給するため配管である。
【００１５】
貯湯運転のときには、ＨＰユニット７を用いて加熱された高温湯が送湯配管１３を通って温水導入出口８ｄから貯湯タンク８内に流入することにより、貯湯タンク８内で上から下に向かって徐々に高温湯が蓄積されていく。貯湯タンク８の表面には、複数の貯湯温度センサ４２，４３が高さを変えて取り付けられている。制御装置３６は、これらの貯湯温度センサ４２，４３で貯湯タンク８内の湯水の温度分布を検出することにより、貯湯タンク８内の残湯量及び蓄熱量を検出できる。制御装置３６は、検出された貯湯タンク８内の残湯量または蓄熱量に応じて、貯湯運転の開始及び停止などを制御する。図示の例では、２個の貯湯温度センサ４２，４３を設けているが、さらに多くの貯湯温度センサを設けてもよい。
【００１６】
タンクユニット３３内には、三方弁１１、循環ポンプ１２、四方弁１８及び風呂用熱交換器２０が備えられている。循環ポンプ１２は、各種配管に湯水を循環させるためのポンプである。ＨＰ往き配管１４は、循環ポンプ１２の出口と、ＨＰユニット７の入口との間を接続する。循環ポンプ１２の入口には入口配管１９が接続されている。
【００１７】
風呂用熱交換器２０は、一次側流路を流れる熱源水と二次側流路を流れる加熱対象水との間で熱を交換することにより加熱対象水を加熱するための熱交換器である。本実施の形態では、浴槽３０から循環する浴槽水を加熱対象水とする風呂用熱交換器２０が備えられている例を説明するが、風呂用熱交換器２０に代えて、例えば暖房用水を加熱対象水とする熱交換器が備えられていてもよい。貯湯タンク８またはＨＰユニット７からの高温湯を熱源水として風呂用熱交換器２０へ供給することができる。
【００１８】
風呂往き配管２７は、風呂用熱交換器２０の二次側流路の出口と、浴槽３０との間を接続する。風呂戻り配管２８は、浴槽３０と、風呂用熱交換器２０の二次側流路の入口との間を接続する。風呂戻り配管２８の途中には、浴槽水を循環させるための風呂循環ポンプ２９と、浴槽３０から出た浴槽水の温度を検出するための風呂戻り温度センサ３８とが設置されている。風呂往き配管２７の途中には、風呂用熱交換器２０から出た浴槽水の温度を検出するための風呂往き温度センサ３７が設置されている。更に、風呂往き配管２７又は風呂戻り配管２８の途中には、湯水の循環を判定する水流検知手段４６と、浴槽３０の水位を検出する水位センサ４７が設置されている。なお、風呂戻り配管２８と風呂往き配管２７は循環回路を形成しているため、以下、これを「風呂循環回路」とも称する。
【００１９】
三方弁１１は、湯水が流入するａポート及びｂポートと、湯水が流出するｃポートとを有する流路切替手段である。四方弁１８は、湯水が流入するｂポート及びｃポートと、湯水が流出するａポート及びｄポートとを有する流路切替手段であり、ａ−ｂ、ａ−ｃ、ｂ−ｄ、ｃ−ｄの４つの経路の間で流路切替可能に構成されている。また、タンクユニット３３は、水導出口配管１０、熱源水入口配管２０ａ、第１バイパス配管１６、熱源水出口配管２０ｂ、及び第２バイパス配管１７を有している。水導出口配管１０は、貯湯タンク８の下部に設けられた水導出口８ｂと、三方弁１１のａポートとの間を接続する。入口配管１９は、三方弁１１のｃポートと、循環ポンプ１２の入口との間を接続する。ＨＰ戻り配管１５は、ＨＰユニット７の出口と、四方弁１８のｃポートとの間を接続する。送湯配管１３は、四方弁１８のｄポートと、分岐部４１との間を接続する。第１バイパス配管１６は、四方弁１８のａポートと、貯湯タンク８の中間高さ部または下部に設けられた温水導入口８ｃとの間を接続する。熱源水入口配管２０ａは、送湯配管１３の途中に設けられた分岐部４０と、風呂用熱交換器２０の一次側流路の入口との間を接続する。熱源水出口配管２０ｂは、風呂用熱交換器２０の一次側流路の出口と、三方弁１１のｂポートとの間を接続する。第２バイパス配管１７は、ＨＰ往き配管１４の途中に設けられた分岐部３２と、四方弁１８のｂポートとの間を接続する。分岐部３２は、タンクユニット３３内にある。第２バイパス配管１７は、分岐部３２と、ＨＰ往き配管１４の一部とを介して、循環ポンプ１２の出口に連通している。
【００２０】
さらに、タンクユニット３３は、第１給水配管９ａ、第２給水配管９ｂ、給湯用混合弁２２、風呂用混合弁２３、第１給湯配管２４、及び第２給湯配管２５を有している。第１給水配管９ａの一端は水道等の水源に接続され、第１給水配管９ａの他端には減圧弁３１を介して第２給水配管９ｂ及び第３給水配管９ｃが接続されている。第２給水配管９ｂは、途中から分岐してそれぞれ給湯用混合弁２２と風呂用混合弁２３とに接続されている。また、給湯配管２１は、途中から分岐してそれぞれ給湯用混合弁２２及び風呂用混合弁２３に接続されている。第１給湯配管２４の途中には、流量検出手段としての給湯用流量センサ４９が設置されている。第２給湯配管２５の途中には、第２給湯配管２５を開閉する風呂用電磁弁２６と、第２給湯配管２５を通る湯の流量を検出する風呂用流量センサ４５とが設けられている。
【００２１】
給湯用混合弁２２及び風呂用混合弁２３は、給湯配管２１から供給される高温湯と、第２給水配管９ｂから供給される低温水との流量比を調整することにより、使用者がリモコン装置４４にて設定した設定温度の湯を生成し、第１給湯配管２４及び第２給湯配管２５にそれぞれ流入させる。給湯用混合弁２２で温度調整された湯は、第１給湯配管２４から給湯栓３４を経由して、使用者が使用する給湯負荷（例えば、シャワー及びカラン等の蛇口）（図示しない）に供給される。一方、風呂用混合弁２３で設定温度に調整された湯は、第２給湯配管２５から風呂用流量センサ４５、風呂用電磁弁２６、風呂往き配管２７、風呂戻り配管２８を経て浴槽３０に供給される。
【００２２】
三方弁１１は、水導出口配管１０と入口配管１９とが連通する形態と、熱源水出口配管２０ｂと入口配管１９とが連通する形態と、水導出口配管１０と入口配管１９と熱源水出口配管２０ｂとの３方向が連通する形態との３つの流路形態に切り替え可能である。四方弁１８は、ＨＰ戻り配管１５と送湯配管１３とが連通する形態と、ＨＰ戻り配管１５と第１バイパス配管１６とが連通する形態と、第１バイパス配管１６と第２バイパス配管１７とが連通する形態と、送湯配管１３と第２バイパス配管１７とが連通する形態との４つの流路形態に切り替え可能である。
【００２３】
制御装置３６は、外部機器（図示省略）とさらに通信可能に接続されていてもよい。当該外部機器は、例えばＨＥＭＳ（ホームエネルギーマネジメントシステム）コントローラでもよい。
【００２４】
本実施の形態において、深夜時間帯は、例えば、他の時間帯に比べて電気料金単価が割安な時間帯である。深夜時間帯は、例えば、２３時から翌朝７時までの時間帯である。昼間時間帯は、深夜時間帯以外の時間帯である。昼間時間帯は、例えば、７時から２３時までの時間帯である。この昼間時間帯は、深夜時間帯に比べて電気料金単価が割高な時間帯となる。ただし、深夜時間帯及び昼間時間帯は、本実施の形態での例に限定されるものではなく、それらの開始時刻及び終了時刻は、電力供給事業者との契約などに応じて変化し得るものである。
【００２５】
制御装置３６は、深夜時間帯及び昼間時間帯の開始時刻及び終了時刻の情報を記憶している。制御装置３６は、タイマー機能を有しており、現在の時刻が深夜時間帯にあるか昼間時間帯にあるかを判別できる。また、制御装置３６は、リモコン装置４４または外部機器から、深夜時間帯及び昼間時間帯の開始時刻及び終了時刻の情報を取得してもよい。
【００２６】
制御装置３６は、上述した各種弁類、及びポンプ類等の作動の制御と共に、設定された制御プログラムを実行することで貯湯運転の開始と終了を制御すると共に、種々の異常の有無を判定し、異常が検出された場合に、リモコン装置４４の表示部４４ａを制御してその異常を使用者に報知する機能を有する。
【００２７】
特に本実施の形態において制御装置３６は、このような異常の判定及び報知の制御の１つとして、貯湯式給湯装置の漏水判定を実行する。図２は、制御装置３６が実行する制御のルーチンをフローチャートに示す図である。以下、漏水異常判定の制御について図２を用いて説明する。
【００２８】
ステップＳ２では、貯湯タンク８内の湯水の温度が、基準温度以下となったか否かが判別される。ここで、基準温度は、予め設定され制御装置３６に記憶された判定の基準となる温度であり、例えば、４５℃程度の値である。湯水の温度は、貯湯温度センサ４２、４３の出力に基づいて検出される。これにより、貯湯タンク８内の貯湯量が、給湯負荷（即ち、浴槽３０及び給湯栓３４に接続されたカラン又はシャワー等）に供給できなくなる湯切れとなるか否かが判別される。ただし、湯切れは、貯湯温度センサ４２，４３により検出された温度と基準温度との比較に基づいて判定される場合に限られず、貯湯タンク８内の湯量を検出し、検出された湯量に基づいて判定されるものとしてもよい。
【００２９】
ステップＳ２の判別結果がＮＯであった場合、即ち、湯水の温度が基準温度より高いと判別された場合、今回の処理は一旦終了する。一方、ステップＳ２がＹＥＳであった場合、即ち、湯水の温度が基準温度以下であると判別された場合、処理はステップＳ４に進み、湯切れ状態であると判定される。
【００３０】
次に、ステップＳ６に進み、水漏れ条件が成立するか否かが判定される。ここで水漏れ条件は、シャワー又はカラン等の蛇口に接続された外部給湯配管からの水漏れの有無を判定するために設定された条件であり、この条件の成立する場合に、水漏れ有りと判定される。
【００３１】
本実施の形態では、水漏れ条件として、条件１及び条件２が設定され、条件１及び条件２の両者が成立する場合に、水漏れ条件が成立すると判定される。条件１は、第１給湯配管２４の流量が、基準流量以上である状態が基準時間継続していることである。条件２は、深夜時間帯終了時における目標貯湯量と実際の貯湯量との差が基準量以上となることが基準回数発生したことである。ただし、条件２は、必ずしも深夜時間帯終了時の比較でなくてもよい。本実施の形態では、電気料金単価が比較的割安な深夜時間帯に貯湯運転を実行することを想定して、条件２を深夜時間帯終了時としている。しかしながら、条件２は、貯湯運転の完了後における実際の貯湯量と目標貯湯量とに基準量以上の差がある場合に成立するものとしてもよい。
【００３２】
図３は、条件１の成立不成立を判定するための制御ルーチンをフローチャートに示した図である。図３に示されるルーチンでは、まずステップＳ１０２において、第１給湯配管２４内の流量が、基準流量以上であるか否かが判別される。第１給湯配管２４の流量は、給湯用流量センサ４９の出力に基づいて検出される。基準流量は、判定の基準値として予め設定されて制御装置３６に記憶された値である。基準流量は、例えば、給湯用流量センサ４９が検出可能な最低流量の値に設定しておくことで、第１給湯配管２４内の湯水の流通を可能な限り検出するようにしてもよい。これにより、広範囲の水漏れ検知が可能となる。基準流量の値の一例としては、１Ｌ／ｍｉｎである。
【００３３】
ステップＳ１０２において、第１給湯配管２４内の流量が基準流量以上であると判別された場合、処理はステップＳ１０４に進み、第１給湯配管２４内の流量が基準流量より少ないと判別された場合、処理は、ステップＳ１０８に進む。
【００３４】
ステップＳ１０４では、第１給湯配管２４内の流量が基準流量以上となってからの経過時間が基準時間以上か否かが判別される。ここでの基準時間は、判定の基準値として、予め設定され制御装置３６に記憶された時間である。基準時間は、例えば、深夜時間帯に湯水を沸き上げて貯湯タンク８に貯湯する貯湯運転時間の範囲に設定する。基準時間の一例としては、例えば３時間である。貯湯運転時間は、使用者の昼間の湯水の使用量にもよって変動するが、深夜時間帯の貯湯運転時間が最低でも３時間程度である。
【００３５】
ステップＳ１０４において、基準時間経過したと判別された場合、処理はステップＳ１０６に進み、条件１の成立と判定される。その後、今回の図３のルーチンの処理は終了する。一方、ステップＳ１０４において、基準時間経過していないと判別された場合、処理はステップＳ１０２に戻される。一定時間ごとに、ステップＳ１０２の判別処理が実行される。
【００３６】
ステップＳ１０２において、第１給湯配管２４内の湯水の流量が基準流量未満であると判別された場合には、ステップＳ１０８に進み、条件１が不成立と判定された後、今回の処理は終了する。
【００３７】
図４は、条件２の成立不成立を判定するためのルーチンをフローチャートに示した図である。図４に示されるルーチンは、深夜時間帯の終了ごとに実行されるルーチンである。図４のルーチンでは、まず、ステップＳ２０２において、実際の貯湯量と目標貯湯量との差が、基準量以上であるかが判別される。なお、ここでの湯量としては、所定温度の湯に換算した湯量が用いられるものとする。ここで基準量は、判定の基準値として予め制御装置３６に記憶された値であり、上記の基準流量で基準時間の流出が続いたことを想定した場合の湯量に基づいて設定された値である。例えば、基準流量１Ｌ/ｍｉｎの湯量が、基準時間である３時間継続した場合の湯量は、４２℃に換算すると、２００Ｌ程度となる。従って、この場合、基準量は２００Ｌ程度に設定するとよい。
【００３８】
ステップＳ２０２において、実際の貯湯量と目標貯湯量との差が基準量以上であると判別された場合、次に、処理は、ステップＳ２０４に進み、カウンタに１が加算されることでカウンタがインクリメントされる。カウンタは、深夜時間帯の終了時において、実際の貯湯量と目標貯湯量との差が基準量以上と判定された回数をカウントする。
【００３９】
次に、ステップＳ２０６において、カウンタが基準回以上であるか否かが判別される。ここで基準回は、判定の基準値として予め設定され、制御装置３６に記憶された値である。基準回は１であってもよいが、使用者のシャワー又はカラン等の蛇口の単なる閉め忘れを原因とする水の流出が、水漏れとして誤報されるのを防止するため、２以上に設定することが望ましい。
【００４０】
ステップＳ２０６において、カウンタが基準回以上であると判別された場合には、ステップＳ２０８において、条件２が成立すると判定される。その後、今回の処理が終了する。
【００４１】
一方、ステップＳ２０６において、カウンタが基準回未満であると判別された場合には、ステップＳ２１２に進み、この段階では条件２は不成立と判定される。その後、今回の処理は終了する。
【００４２】
また、ステップＳ２０２において、実際の貯湯量と目標貯湯量との差が基準量未満であると判別された場合、処理はステップＳ２１０に進み、カウンタが０に初期化された後、ステップＳ２１２において、条件２は不成立と判定され、今回の処理が終了する。
【００４３】
再び、図２のルーチンに戻り、ステップＳ６において、水漏れ条件が成立すると判別された場合、処理は、ステップＳ８に進み、成立しないと判別された場合、処理はステップＳ１２に進む。
【００４４】
ステップＳ８では、水漏れ履歴が履歴データとして記録される。ここで履歴データは制御装置３６が有する不揮発メモリ等に対して記録される。次に、ステップＳ１０に進み、水漏れであることを、リモコン装置４４等から音声ガイダンスにより報知し、表示部４４ａに、配管からの水漏れがあることを表示する。図５に、水漏れの場合の表示例を示す。図５の例では、「配管から水漏れはありませんか」と表示される。その後、今回の処理は一旦終了する。
【００４５】
一方、ステップＳ６において、水漏れ条件が不成立と判別された場合、湯切れの原因は、水漏れではなく、使用者の湯の使用量が多かったことによるものと判断できる。従って、ステップＳ１２では、そのまま貯湯運転が開始され、今回の処理は終了する。
【００４６】
以上説明したように、本実施の形態では、湯切れの判定が成された後に、水漏れの有無が判定されるように構成されている。これにより、使用者による継続使用等を原因とする湯切れが発生した場合に水漏れと報知されるといった誤報を回避することができ、使用者の貯湯式給湯装置の使い勝手を向上させることができる。
【００４７】
なお、本実施の形態では、ステップＳ８において、水漏れの履歴を履歴データとして記録する場合について説明したが、履歴の記録を行う構成は必須のものではない。また、水漏れ条件の成立の履歴データを有する構成とする場合、例えば、ステップＳ２において湯切れの判定が成されない場合でも、水漏れ条件が成立した履歴があれば、水漏れの可能性があることをリモコン装置４４の音声ガイダンスや表示部４４ａによって報知するような構成とすることができる。これにより、使用者の使い勝手の向上を図ることができる。
【００４８】
また、履歴データを有する構成とする場合、制御装置３６又はリモコン装置４４は、履歴データに記録された水漏れ条件の成立の履歴を消去できる消去手段を有する構成としてもよい。消去手段により、水漏れ箇所の修理等により不要となった履歴データを消去することで、水漏れの可能性がなくなった又は可能性が低下した後に水漏れの可能性が報知されるのを回避することができる。履歴データの消去方法に限定はない。一例を挙げると、使用者が、リモコン装置４４の操作により消去可能な構成とすることができる。また、一般に、水漏れ箇所を修理した後は電源が一度ＯＦＦとされ、再びＯＮとされる。従って、貯湯式給湯装置３５の電源ＯＦＦの後、電源ＯＮとなった場合に、履歴データに記録された水漏れ条件の成立の履歴が自動的に消去される構成としてもよい。履歴データが自動的に消去されることで、使用者による利便性を更に向上させることができる。
【００４９】
制御装置３６は、一日に使用される湯量を検出し、一日に使用される湯量及び一日に必要となる湯量を学習する機能を有するものとしてもよい。この場合において、制御装置３６は、水漏れが報知されている間、あるいは、水漏れ条件が成立している間は、一日に使用する湯量及び一日に必要な湯量の学習を禁止するように構成してもよい。これにより、水漏れ状態における一日の使用湯量及び必要湯量の学習を回避することができ、水漏れ状態における不適切な湯量によって学習値にずれが生じるのを抑制することができる。
【００５０】
また、水漏れの条件が成立している間、風呂機能（例えば、浴槽３０への湯張り、浴槽３０内の浴水の追い焚き又は保温、及び、浴槽３０への高温差し湯）の動作を禁止又は停止する構成としてもよい。これにより、貯湯タンク８内の湯水の確保を優先させることができ、湯切れ状態における使用者の使い勝手を改善することができる。
【００５１】
リモコン装置４４又は制御装置３６は、水漏れの報知を禁止する禁止時間帯を設定できる機能を有するものとしてもよい。より具体的に、例えば使用者がリモコン装置４４を操作し、夜２３：００〜朝７：００等の時間を指定して、禁止時間帯として設定できる構成としてもよい。これにより夜間時間等の使用者が報知を不快に感じるような時間帯における報知を抑制することができる。
【００５２】
また、給湯用流量センサ４９により検出される流量が所定の流量以上である場合に限り、水漏れの報知が行われる構成としてもよい。ここで所定の流量は、例えば、使用者によってシャワーやカラン等の蛇口から湯水を使用していると判断される流量（例えば、５Ｌ/ｍｉｎ）とすることができる。これにより、使用者の給湯装置の使用中に限り、水漏れの報知が行われるようにすることができ、報知された水漏れを使用者が認識する可能性を高めることができる。また、使用者による使用中であれば、リモコン装置４４から大きなガイダンス音で水漏れが報知されても、使用者の不快感を比較的低く抑えることができる。
【００５３】
また、外部の水源と貯湯タンク８とを接続する流路に、この流路を開閉する開閉弁を配置し、制御装置３６は、水漏れ条件が成立した場合に、開閉弁と閉じる構成としてもよい。これにより、水漏れでの湯水の浪費を抑制することができる。
【符号の説明】
【００５４】
１  圧縮機、  ３  水冷媒熱交換器、  ４  膨張弁、  ５  冷媒配管、  ６  空気熱交換器、  ７  ＨＰユニット、  ８  貯湯タンク、  ８ａ  水導入口、  ８ｂ  水導出口、８ｃ  温水導入口、  ８ｄ  温水導入出口、  ９ａ  第１給水配管、  ９ｂ  第２給水配管、  ９ｃ  第３給水配管、  １０  水導出口配管、  １１  三方弁、  １２  循環ポンプ、  １３  送湯配管、  １４  ＨＰ往き配管、  １５  ＨＰ戻り配管、  １６  第１バイパス配管、  １７  第２バイパス配管、  １８  四方弁、  １９  入口配管、  ２０  風呂用熱交換器、  ２０ａ  熱源水入口配管、  ２０ｂ  熱源水出口配管、  ２１  給湯配管、  ２２  給湯用混合弁、  ２３  風呂用混合弁、  ２４  第１給湯配管、  ２５  第２給湯配管、  ２６  風呂用電磁弁、  ２７  風呂往き配管、  ２８  風呂戻り配管、  ２９  風呂循環ポンプ、  ３０  浴槽、  ３１  減圧弁、  ３２  分岐部、  ３３  タンクユニット、  ３４  給湯栓、  ３５  貯湯式給湯装置、  ３６  制御装置、  ３７  風呂往き温度センサ、  ３８  風呂戻り温度センサ、  ４０  分岐部、  ４１  分岐部、  ４２，４３  貯湯温度センサ、  ４４  リモコン装置、  ４４ａ  表示部、  ４５  風呂用流量センサ、  ４６  水流検知手段、  ４７  水位センサ、  ４９  給湯用流量センサ。
【図１】
2020176755.tif 000003
【図２】
2020176755.tif 000004
【図３】
2020176755.tif 000005
【図４】
2020176755.tif 000006
【図５】
2020176755.tif 000007